【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
撮像素子から得られるアナログ信号をデジタル画像信号に変換するＡ／Ｄ変換手段と、
前記デジタル画像信号を映像データに処理する信号処理手段と、
前記映像データ内の、ズームの対象となるズーム領域を変倍する第１変倍手段と、
前記第１変倍手段により変倍されたズーム領域の映像データを表示する表示手段と、
前記映像データ内の、顔を検出する対象となる顔検出領域を変倍する第２変倍手段と、
前記第２変倍手段により変倍された顔検出領域の映像データから人物の顔の有無を検出すると同時に該人物の顔の座標位置情報を取得する顔検出手段と、
前記顔検出手段により取得された座標位置情報に基づいて、測距、測光及びホワイトバランスの少なくともいずれか１つを制御する制御手段とを備え、
前記顔検出領域は、前記映像データの全体領域よりも狭く、且つ前記ズーム領域よりも広いことを特徴とする撮影装置。
【請求項２】
撮像素子から得られるアナログ信号をデジタル画像信号に変換するＡ／Ｄ変換手段と、
前記デジタル画像信号を映像データに処理する信号処理手段と、
前記映像データ内の、ズームの対象となるズーム領域及び顔を検出する対象となる顔検出領域を変倍する変倍手段と、
前記変倍手段により変倍されたズーム領域の映像データを表示する表示手段と、
前記変倍手段により変倍された顔検出領域の映像データから人物の顔の有無を検出すると同時に該人物の顔の座標位置情報を取得する顔検出手段と、
前記顔検出手段により取得された座標位置情報に基づいて、測距、測光及びホワイトバランスの少なくともいずれか１つを制御する制御手段とを備え、
前記顔検出領域は、前記映像データの全体領域よりも狭く、且つ前記ズーム領域よりも広いことを特徴とする撮影装置。
【請求項３】
前記ズーム領域の映像データを記録する記録手段を備えていることを特徴とする請求項１又は２記載の撮影装置。
【請求項４】
前記撮影装置は、デジタルスチルカメラであることを特徴とする請求項１乃至３のいずれか１項記載の撮影装置。
【請求項５】
撮像素子及び表示装置を備える撮影装置の制御方法において、
前記撮像素子から得られるアナログ信号をデジタル画像信号に変換するＡ／Ｄ変換工程と、
前記デジタル画像信号を映像データに処理する信号処理工程と、
前記映像データ内の、ズームの対象となるズーム領域を変倍する第１変倍工程と、
前記第１変倍工程により変倍されたズーム領域の映像データを前記表示装置に表示させる表示工程と、
前記映像データ内の、顔を検出する対象となる顔検出領域を変倍する第２変倍工程と、
前記第２変倍工程により変倍された顔検出領域の映像データから人物の顔の有無を検出すると同時に該人物の顔の座標位置情報を取得する顔検出工程と、
前記顔検出工程により取得された座標位置情報に基づいて、測距、測光及びホワイトバランスの少なくともいずれか１つを制御する制御工程とを備え、
前記顔検出領域は、前記映像データの全体領域よりも狭く、且つ前記ズーム領域よりも広いことを特徴とする撮影装置の制御方法。
【請求項６】
撮像素子及び表示装置を備える撮影装置の制御方法において、
前記撮像素子から得られるアナログ信号をデジタル画像信号に変換するＡ／Ｄ変換工程と、
前記デジタル画像信号を映像データに処理する信号処理工程と、
前記映像データ内の、ズームの対象となるズーム領域及び顔を検出する対象となる顔検出領域を変倍する変倍工程と、
前記変倍工程により変倍されたズーム領域の映像データを前記表示装置に表示させる表示工程と、
前記変倍工程により変倍された顔検出領域の映像データから人物の顔の有無を検出すると同時に該人物の顔の座標位置情報を取得する顔検出工程と、
前記顔検出工程により取得された座標位置情報に基づいて、測距、測光及びホワイトバランスの少なくともいずれか１つを制御する制御工程とを備え、
前記顔検出領域は、前記映像データの全体領域よりも狭く、且つ前記ズーム領域よりも広いことを特徴とする撮影装置の制御方法。
【請求項７】
撮像素子及び表示装置を備える撮影装置を制御する撮影装置の制御方法をコンピュータに実行させる制御用プログラムにおいて、
前記撮影装置の制御方法は、
前記撮像素子から得られるアナログ信号をデジタル画像信号に変換するＡ／Ｄ変換ステップと、
前記デジタル画像信号を映像データに処理する信号処理ステップと、
前記映像データ内の、ズームの対象となるズーム領域を変倍する第１変倍ステップと、
前記第１変倍ステップにより変倍されたズーム領域の映像データを前記表示装置に表示させる表示ステップと、
前記映像データ内の、顔を検出する対象となる顔検出領域を変倍する第２変倍ステップと、
前記第２変倍ステップにより変倍された顔検出領域の映像データから人物の顔の有無を検出すると同時に該人物の顔の座標位置情報を取得する顔検出ステップと、
前記顔検出ステップにより取得された座標位置情報に基づいて、測距、測光及びホワイトバランスの少なくともいずれか１つを制御する制御ステップとを備え、
前記顔検出領域は、前記映像データの全体領域よりも狭く、且つ前記ズーム領域よりも広いことを特徴とする制御用プログラム。
【請求項８】
撮像素子及び表示装置を備える撮影装置を制御する撮影装置の制御方法をコンピュタに実行させる制御用プログラムにおいて、
前記撮影装置の制御方法は、
前記撮像素子から得られるアナログ信号をデジタル画像信号に変換するＡ／Ｄ変換ステップと、
前記デジタル画像信号を映像データに処理する信号処理ステップと、
前記映像データ内の、ズームの対象となるズーム領域及び顔を検出する対象となる顔検出領域を変倍する変倍ステップと、
前記変倍ステップにより変倍されたズーム領域の映像データを前記表示装置に表示させる表示ステップと、
前記変倍ステップにより変倍された顔検出領域の映像データから人物の顔の有無を検出すると同時に該人物の顔の座標位置情報を取得する顔検出ステップと、
前記顔検出ステップにより取得された座標位置情報に基づいて、測距、測光及びホワイトバランスの少なくともいずれか１つを制御する制御ステップとを備え、
前記顔検出領域は、前記映像データの全体領域よりも狭く、且つ前記ズーム領域よりも広いことを特徴とする制御用プログラム。
【手続補正２】
【補正対象書類名】明細書
【補正対象項目名】００１４
【補正方法】変更
【補正の内容】
【００１４】
上記目的を達成するため、請求項１の撮影装置は、撮像素子から得られるアナログ信号をデジタル画像信号に変換するＡ／Ｄ変換手段と、前記デジタル画像信号を映像データに処理する信号処理手段と、前記映像データ内の、ズームの対象となるズーム領域を変倍する第１変倍手段と、前記第１変倍手段により変倍されたズーム領域の映像データを表示する表示手段と、前記映像データ内の、顔を検出する対象となる顔検出領域を変倍する第２変倍手段と、前記第２変倍手段により変倍された顔検出領域の映像データから人物の顔の有無を検出すると同時に該人物の顔の座標位置情報を取得する顔検出手段と、前記顔検出手段により取得された座標位置情報に基づいて、測距、測光及びホワイトバランスの少なくともいずれか１つを制御する制御手段とを備え、前記顔検出領域は、前記映像データの全体領域よりも狭く、且つ前記ズーム領域よりも広いことを特徴とする。
【手続補正３】
【補正対象書類名】明細書
【補正対象項目名】００１５
【補正方法】変更
【補正の内容】
【００１５】
請求項２の撮影装置は、撮像素子から得られるアナログ信号をデジタル画像信号に変換するＡ／Ｄ変換手段と、前記デジタル画像信号を映像データに処理する信号処理手段と、前記映像データ内の、ズームの対象となるズーム領域及び顔を検出する対象となる顔検出領域を変倍する変倍手段と、前記変倍手段により変倍されたズーム領域の映像データを表示する表示手段と、前記変倍手段により変倍された顔検出領域の映像データから人物の顔の有無を検出すると同時に該人物の顔の座標位置情報を取得する顔検出手段と、前記顔検出手段により取得された座標位置情報に基づいて、測距、測光及びホワイトバランスの少なくともいずれか１つを制御する制御手段とを備え、前記顔検出領域は、前記映像データの全体領域よりも狭く、且つ前記ズーム領域よりも広いことを特徴とする。
【手続補正４】
【補正対象書類名】明細書
【補正対象項目名】００１８
【補正方法】変更
【補正の内容】
【００１８】
請求項５の撮影装置の制御方法は、撮像素子及び表示装置を備える撮影装置の制御方法において、前記撮像素子から得られるアナログ信号をデジタル画像信号に変換するＡ／Ｄ変換工程と、前記デジタル画像信号を映像データに処理する信号処理工程と、前記映像データ内の、ズームの対象となるズーム領域を変倍する第１変倍工程と、前記第１変倍工程により変倍されたズーム領域の映像データを前記表示装置に表示させる表示工程と、前記映像データ内の、顔を検出する対象となる顔検出領域を変倍する第２変倍工程と、前記第２変倍工程により変倍された顔検出領域の映像データから人物の顔の有無を検出すると同時に該人物の顔の座標位置情報を取得する顔検出工程と、前記顔検出工程により取得された座標位置情報に基づいて、測距、測光及びホワイトバランスの少なくともいずれか１つを制御する制御工程とを備え、前記顔検出領域は、前記映像データの全体領域よりも狭く、且つ前記ズーム領域よりも広いことを特徴とする。
【手続補正５】
【補正対象書類名】明細書
【補正対象項目名】００１９
【補正方法】変更
【補正の内容】
【００１９】
請求項６の撮影装置の制御方法は、撮像素子及び表示装置を備える撮影装置の制御方法において、前記撮像素子から得られるアナログ信号をデジタル画像信号に変換するＡ／Ｄ変換工程と、前記デジタル画像信号を映像データに処理する信号処理工程と、前記映像データ内の、ズームの対象となるズーム領域及び顔を検出する対象となる顔検出領域を変倍する変倍工程と、前記変倍工程により変倍されたズーム領域の映像データを前記表示装置に表示させる表示工程と、前記変倍工程により変倍された顔検出領域の映像データから人物の顔の有無を検出すると同時に該人物の顔の座標位置情報を取得する顔検出工程と、前記顔検出工程により取得された座標位置情報に基づいて、測距、測光及びホワイトバランスの少なくともいずれか１つを制御する制御工程とを備え、前記顔検出領域は、前記映像データの全体領域よりも狭く、且つ前記ズーム領域よりも広いことを特徴とする。
【手続補正６】
【補正対象書類名】明細書
【補正対象項目名】００２０
【補正方法】変更
【補正の内容】
【００２０】
請求項７の制御用プログラムは、撮像素子及び表示装置を備える撮影装置を制御する撮影装置の制御方法をコンピュータに実行させる制御用プログラムにおいて、前記撮影装置の制御方法は、前記撮像素子から得られるアナログ信号をデジタル画像信号に変換するＡ／Ｄ変換ステップと、前記デジタル画像信号を映像データに処理する信号処理ステップと、前記映像データ内の、ズームの対象となるズーム領域を変倍する第１変倍ステップと、前記第１変倍ステップにより変倍されたズーム領域の映像データを前記表示装置に表示させる表示ステップと、前記映像データ内の、顔を検出する対象となる顔検出領域を変倍する第２変倍ステップと、前記第２変倍ステップにより変倍された顔検出領域の映像データから人物の顔の有無を検出すると同時に該人物の顔の座標位置情報を取得する顔検出ステップと、前記顔検出ステップにより取得された座標位置情報に基づいて、測距、測光及びホワイトバランスの少なくともいずれか１つを制御する制御ステップとを備え、前記顔検出領域は、前記映像データの全体領域よりも狭く、且つ前記ズーム領域よりも広いことを特徴とする。
【手続補正７】
【補正対象書類名】明細書
【補正対象項目名】００２１
【補正方法】変更
【補正の内容】
【００２１】
請求項８の制御用プログラムは、撮像素子及び表示装置を備える撮影装置を制御する撮影装置の制御方法をコンピュータに実行させる制御用プログラムにおいて、前記撮影装置の制御方法は、前記撮像素子から得られるアナログ信号をデジタル画像信号に変換するＡ／Ｄ変換ステップと、前記デジタル画像信号を映像データに処理する信号処理ステップと、前記映像データ内の、ズームの対象となるズーム領域及び顔を検出する対象となる顔検出領域を変倍する変倍ステップと、前記変倍ステップにより変倍されたズーム領域の映像データを前記表示装置に表示させる表示ステップと、前記変倍ステップにより変倍された顔検出領域の映像データから人物の顔の有無を検出すると同時に該人物の顔の座標位置情報を取得する顔検出ステップと、前記顔検出ステップにより取得された座標位置情報に基づいて、測距、測光及びホワイトバランスの少なくともいずれか１つを制御する制御ステップとを備え、前記顔検出領域は、前記映像データの全体領域よりも狭く、且つ前記ズーム領域よりも広いことを特徴とする。